【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
海底面（３）の下の土壌（２）中に埋め込み可能なアンカ（１）であって、前記アンカ（１）が荷重を受けたときに前記土壌に当たる支承面（８）を備えたフルーク部材（４）と、シャンク部材（７）と、前記アンカ（１）をアンカライン（３０）に連結する連結部材（２０，２８）の取り付けのための少なくとも２つの加重箇所（１３，１５）と、前記連結部材（２０，２８）を前記加重箇所（１３，１５）相互間で移送することができる通路（１２）とを有し、前記加重箇所（１３，１５）は、前記支承面（８）の図心（９）を含むと共に前記アンカ（１）の基準直線（１０）と傾斜角度（Ａ，Ｃ）をなす直線（１７，１８）上に位置するようになっており、前記基準直線（１０）は、前記図心（９）を含むと共に前記アンカ（１）の前方方向（Ｆ）及び後方方向（Ｒ）を定め、前記前方方向（Ｆ）において、前記支承面（８）が最小投影面積を有し、前記基準直線（１０）は、前記アンカ（１）の対称面（６）内に位置し、前記通路（１２）は、前記基準直線（１０）に対して角度をなして固定されるようになっている、アンカ（１）において、前記傾斜角度（Ａ，Ｃ）は、第１の加重箇所（１３）に対してなす前方に開いた鋭角（Ａ）及び第２の加重箇所（１５）に対してなす後方に開いた鋭角（Ｃ）であり、荷重が前記アンカライン（３０）によって前記連結部材（２０，２８）を介して前記アンカ（１）に加重箇所のところで加えられることにより、前記アンカは、前記第１の加重箇所（１３）に対して前方方向（Ｆ）に且つ前記第２の加重箇所（１５）に対して後方方向（Ｒ）に前記海底面の下に深く埋まる、アンカ。
【請求項２】
前記通路（１２）は、前記連結部材（２０，２８）を前記通路（１２）内で動かすことにより第１の加重箇所（１３）から前記第２の加重箇所（１５）に移送することができ、又この逆の関係にすることができるよう前記連結部材（２０，２８）を受け入れる構成のものである、請求項１記載のアンカ。
【請求項３】
前記連結部材（２０，２８）は、細長い補助シャンク部材（２０）を有し、前記補助シャンク部材（２０）は、下端部（２３）のところに設けられていて、荷重ピン（２６）によって前記シャンク部材（２０）に取り付け可能なクレビス（２１）及び上端部（２５）のところに設けられていて、アンカライン（３０）を取り付けるための予備加重箇所（３５）を有する、請求項１又は２に記載のアンカ。
【請求項４】
一時的保持手段（３１，３３）が前記予備加重箇所（３５）を前記図心（９）を含む直線（３４）上に一時的に保持するよう前記シャンク部材（７）と前記補助シャンク部材（２０）との間に設けられており、前記直線（３４）は、５２°〜６８°の前方に開いた角度（β）をなすよう前記基準直線（１０）に対して傾けられており、６０°が好ましい、請求項３記載のアンカ。
【請求項５】
海底面（３）の下の土壌（２）中に埋め込み可能なアンカ（４０，４０Ａ，４０Ｂ，４０Ｃ）であって、前記アンカ（４０，４０Ａ，４０Ｂ，４０Ｃ）が荷重を受けたときに前記土壌（２）に当たる支承面（４２Ａ，４３Ｂ）を備えたフルーク部材（４１）と、少なくとも２つの回動可能な細長い部材（５１Ｆ，５２Ｒ）を含むシャンク部材（４９）と、前記細長い部材（５１Ｆ，５２Ｒ）を前記フルーク部材（４１）から見て遠位側で結合するのに役立つ結合部材（５０，５０Ａ）と、前記アンカ（４０，４０Ａ，４０Ｂ，４０Ｃ）をアンカライン（７０）に連結する連結部材（６８）の取り付けのための少なくとも２つの加重箇所（６３，６３Ａ，６５）とを有し、前記加重箇所（６３，６３Ａ，６５）は、前記支承面（４２Ａ，４３Ｂ）の図心（４６）を含むと共に前記アンカ（４０，４０Ａ，４０Ｂ，４０Ｃ）の基準直線（４７）と図心傾斜角度（α，β，Ａ，Ｂ，Ｃ）をなす直線（７４Ａ，７４Ｃ，７５Ａ，９６Ａ，９７Ａ）上に位置するようになっており、前記基準直線（４７）は、前記図心（４６）を含むと共に前記アンカ（４０，４０Ａ，４０Ｂ，４０Ｃ）の前方方向（Ｆ）及び後方方向（Ｒ）を定め、前記前方方向（Ｆ）において、前記支承面（４２Ａ，４３Ｂ）が最小投影面積を有し、前記基準直線は、前記アンカ（４０，４０Ａ，４０Ｂ，４０Ｃ）の対称面内に位置し、前記細長い部材（５１Ｆ，５２Ｒ）は、前記アンカ（４０，４０Ａ，４０Ｂ，４０Ｃ）が前記アンカライン（７０）によって荷重を受けたときに前記結合部材（５０，５０Ａ）を前記フルーク部材（４１）に当たらないよう維持するような長さのものであり、前記細長い部材（５１Ｆ，５２Ｒ）は、取付け箇所（５３Ａ，５３Ｂ）のところで前記フルーク部材（４１）に取り付けられており、前記対称面（４５）上への前記取付け箇所（５３Ａ，５３Ｂ）の投影像は、互いに間隔を置いて位置し、前記細長い部材（５１Ｆ，５２Ｒ）は、前記結合部材（５０，５０Ａ）上に間隔を置いて位置する取付け箇所（５３Ａ，５３Ｂ）のところで前記結合部材（５０，５０Ａ）に取り付けられている、アンカ（４０，４０Ａ，４０Ｂ，４０Ｃ）において、前記結合部材（５０，５０Ａ）は、前記少なくとも２つの加重箇所（６３，６３Ａ，６５）及び前記結合部材（５０，５０Ａ）に取り付けられると、前記連結部材（６８）を前記加重箇所（６３，６３Ａ，６５）相互間で移送することができる移送手段（６２，６２Ａ）を有し、前記アンカ（４０，４０Ａ，４０Ｂ，４０Ｃ）は、前記アンカライン（７０）により動作可能な多安定型機構体（４９Ａ）を有し、前記連結部材（６８）を加重箇所（６３，６３Ａ，６５）の場所の少なくとも２つの安定位置（７４，７４Ｂ，７５，９６，９７）相互間で可逆的に動かすことができる、アンカ。
【請求項６】
２つの前方対をなす前記細長い部材（５１Ｆ）及び２つの後方対をなす前記細長い部材（５２Ｒ）が設けられ、前記細長い部材（５１Ｆ，５２Ｒ）は、前記安定位置（７４，７４Ｂ，７５，９６，９７）が前記フルーク部材（４１）の支承面（４２Ａ，４３Ａ）の図心（４６）から距離を置いたところに位置するような長さのものであり、前記支承面（４２Ａ，４３Ａ）は、前記アンカ（４０，４０Ａ，４０Ｂ，４０Ｃ）が荷重を受けたときに前記土壌（２）に当たり、前記距離は、前記支承面（４２Ａ，４３Ａ）の前記投影面積の平方根の０．５〜１．６５倍であり、０．８〜１．２倍の範囲が好ましい、請求項５記載のアンカ。
【請求項７】
２つの隣り合う安定位置（７４，７４Ｂ，７５，９６，９７）の各々に関する前記図心傾斜角度（α，β，Ａ，Ｂ，Ｃ）は、５つの範囲、即ち、３６°〜５２°の１つの前方に開いた範囲、５２°〜６８°の１つの前方に開いた範囲、６８°〜８２°の１つの前方に開いた範囲、８５°〜９５°の１つの中間範囲、６８°〜８２°の１つの後方に開いた範囲の各々にそれぞれ含まれるよう選択されている、請求項５又は６に記載のアンカ。
【請求項８】
前記移送手段（６２，６２Ａ）は、通路（６２，６２Ａ）から成り、前記通路は、前記連結部材（３８）を前記通路（６２，６２Ａ）内で動かすことにより加重箇所（６３，６３Ａ，６５）のうちの１つの加重箇所から別の加重箇所に移送することができ、又この逆の関係にすることができるよう前記連結部材（６８）を受け入れるようになっている、請求項５又は７に記載のアンカ。
【請求項９】
前記結合部材（５０，５０Ａ）は、平板状部材（５０，５０Ａ）から成り、前記平板状部材は、前記スロット（６２，６２Ａ）と、前記細長い部材（５１Ｆ，５２Ｒ）を取り付けるための２つの互いに間隔を置いた取付け箇所（５７Ａ，５７Ｂ）と、各々前記スロット（６２，６２Ａ）内に位置すると共に前記スロット（６２，６２Ａ）の端に隣接して位置する前記第１の加重箇所（６３）及び前記第２の加重箇所（６５）とを有する、請求項５乃至８の何れか１項に記載のアンカ。
【請求項１０】
前記多安定型機構体（４９Ａ）は、二安定型機構体（４９Ｂ）を含み、前記二安定型機構体では、前記結合部材（５０）は、第１及び第２の安定位置（７４，７５）のところに対応して位置することができる第１及び第２の加重箇所（６３，６５）を備えた真っ直ぐなスロット（６２）を有し、前記第１及び前記第２の安定位置（７４，７５）は、それぞれ、各々６８°〜８２°の範囲にある前方に開いた図心鋭角（Ａ）及び後方に開いた図心鋭角（Ｃ）を定める、請求項９記載のアンカ。
【請求項１１】
前記多安定型機構体（４９Ａ）は、二安定型機構体（４９Ｂ）を含み、前記二安定型機構体では、前記結合部材（５０）は、第１及び第２の安定位置（９６，７４）のところに対応して位置することができる第１及び第２の加重箇所（５７Ａ，５７Ｂ）を備えた真っ直ぐなスロット（６２）を有し、前記第１及び前記第２の安定位置（９６，７４）は、それぞれ、５２°〜６８°の第１の前方に開いた図心鋭角（β）及び６８°〜８２°の第２の前方に開いた鋭角（Ａ）を定める、請求項９記載のアンカ。
【請求項１２】
前記多安定型機構体（４９Ａ）は、三安定型機構体（４９Ｃ）を含み、前記三安定型機構体では、前記結合部材（５０Ａ）は、曲りスロット（６２Ａ）を有し、前記曲りスロット（６２Ａ）は、第１及び第２の安定位置（７４，７５）のところに対応して位置することができる第１及び第２の加重箇所（６３，６５）を有し、前記第１及び前記第２の安定位置（７４，７５）は、それぞれ、各々６８°〜８２°の範囲にある前方に開いた図心鋭角（Ａ）及び後方に開いた図心鋭角（Ｃ）を定め、前記曲りスロット（６２Ａ）は、中間安定位置（７４Ｂ）のところに位置することができると共に各々８５°〜９０°の範囲にある前方に開いた図心鋭角（Ｂ）及び後方に開いた図心鋭角（Ｂ１）の一方を定める中間加重箇所（６３Ａ）を更に有する、請求項９記載のアンカ。
【請求項１３】
前記多安定型機構体（４９Ａ）は、三安定型機構体（４９Ｃ）を含み、前記三安定型機構体では、前記結合部材（５０Ａ）は、曲りスロット（６２Ａ）を有し、前記曲りスロット（６２Ａ）は、第１及び第２の安定位置（９７，７４）のところに対応して位置することができる第１及び第２の加重箇所（６３，６５）を有し、前記第１の安定位置（９７）は、３６°〜５２°の範囲にある第１の前方に開いた図心鋭角（α）を定め、前記第２の安定位置（７４）は、６８°〜８２°の範囲にある第２の後方に開いた図心鋭角（Ａ）を定め、前記曲りスロット（６２Ａ）は、中間安定位置（９６）のところに位置することができると共に５２°〜６８°の範囲にある中間の前方に開いた図心鋭角（β）を定める中間加重箇所（６３Ａ）を更に有する、請求項９記載のアンカ。
【請求項１４】
前記細長い部材（５１Ｆ，５２Ｒ）のうちの少なくとも一方のための前記結合部材（５０，５０Ａ）上の取付け箇所（５７Ａ）と前記フルーク部材（４１）上の対応の取付け箇所（５３Ａ）との間の距離を一時的に変えて前記第１の加重箇所（６３）のための予備安定位置（９６，９７）を提供する調整手段（８０）が前記シャンク部材（４９）に設けられており、前記第１の加重箇所（６３）及び前記図心（４６）を含む直線（９６Ａ，９７Ａ）は、前記アンカライン（７０）に張力が加えられると、前記基準直線（４７）と、３６°〜５２°の範囲及び５２°〜６８°の範囲のうちの一方の前方に開いた予備鋭角（α，β）をなす、請求項９乃至１３の何れか１項に記載のアンカ。
【請求項１５】
前記フルーク部材（４，４１）の後部のところには偏向手段（３６，７６）が設けられており、前記偏向手段は、前記アンカ（１，４０，４０Ａ，４０Ｂ，４０Ｃ）の前記対称面（６，４５）の各側に位置すると共に前記基準直線（１０，４７）に対して傾斜角度（Ｄ）をなす線（３９，７９）に沿って前記対称面（６，４５）と交差する平面内に位置する後方に向いた上面（３８，７８）を有し、前記後方に向いた上面（３８，７８）は、前記後方に向いた上面に対する土壌の相互作用から偏向力を生じさせ、力の後方に向いた成分が前記第２の加重箇所（１５，６５）に加えられると、前記土壌（２）内における前記アンカ（１，４０，４０Ａ，４０Ｂ，４０Ｃ）の回転を容易にする、請求項１乃至１４の何れか１項に記載のアンカ。